(57)【要約】【課題】カラオケ選曲装置に選曲履歴を提示する。【解決手段】楽曲ＩＤと未演奏曲／既演奏曲の区別を対応付けした情報を選曲予約順に配列した選曲履歴簿を記憶手段に格納し、利用者入力に従って楽曲索引データベースから抽出した１つの楽曲ＩＤを含んだ演奏予約電文をカラオケ装置に送信した際、当該楽曲ＩＤを未演奏曲として選曲履歴簿に記録し、カラオケ装置から１つの楽曲ＩＤを含んだ演奏報告電文を受信した際、選曲履歴簿における未演奏曲中の当該楽曲ＩＤを既演奏曲とし、選曲履歴の閲覧を指示する利用者入力があった際、選曲履歴簿から新しい順に所定曲数分の楽曲ＩＤと未演奏曲／既演奏曲の区別を抽出するとともに、楽曲索引データベースを参照し、それら抽出楽曲の曲名とアーティスト名を一覧表示させ、かつ、未演奏曲と既演奏曲を視覚的に区別できるように表示させるカラオケ選曲装置を提供する。【選択図】図４
2008262117.tif 000002
【特許請求の範囲】
【請求項１】
通信手段と、記憶手段と、ユーザインタフェースと、制御手段とを備え、楽曲索引データベースにアクセスするカラオケ選曲装置であって、
通信手段は、カラオケ装置と交信可能とし、
記憶手段は、選曲履歴簿を格納し、
選曲履歴簿は、楽曲ＩＤと未演奏曲／既演奏曲の区別を対応付けした情報を選曲予約順に配列し、
ユーザインタフェースは、制御手段の制御により利用者に情報を表示するとともに、利用者の操作入力を受け付け、
制御手段は、利用者入力に従って楽曲索引データベースから抽出した１つの楽曲ＩＤを含んだ演奏予約電文をカラオケ装置に送信した際、当該楽曲ＩＤを未演奏曲として選曲履歴簿に記録し、
制御手段は、カラオケ装置から１つの楽曲ＩＤを含んだ演奏報告電文を受信した際、選曲履歴簿における未演奏曲中の当該楽曲ＩＤを既演奏曲とし、
制御手段は、選曲履歴の閲覧を指示する利用者入力があった際、選曲履歴簿から新しい順に所定曲数分の楽曲ＩＤと未演奏曲／既演奏曲の区別を抽出するとともに、楽曲索引データベースを参照し、それら抽出楽曲の曲名とアーティスト名を一覧表示させ、かつ、未演奏曲と既演奏曲を視覚的に区別できるように表示させ、いずれかの楽曲を選択する利用者入力を可能とし、
制御手段は、一覧表示された抽出楽曲の中から1曲を選択する利用者入力があった際、楽曲索引データベースを参照し、当該楽曲とアーティスト名が同じ楽曲を抽出して一覧表示させるとともに、利用者がいずれかの楽曲を選択入力可能とする
カラオケ選曲装置。
【発明の詳細な説明】
【技術分野】
【０００１】
この発明は、カラオケ選曲装置の娯楽性を向上させるための技術改良に関し、特に、カラオケ利用客が選曲し演奏予約した曲の履歴情報を提示する機能を備えたカラオケ選曲装置に関する。
【背景技術】
【０００２】
周知のように、カラオケ店では分厚いカラオケ目次本のかわりに、タブレットタイプのコンピュータで構成された電子目次本（カラオケ選曲装置）が普及している。ＤＡＭステーション、デンモク、キョクＮＡＶＩ、ナビカラなどの商品名で知られている。このようなカラオケ選曲装置は、タブレットコンピュータのもつ高い演算能力や記憶能力・通信能力を利用することにより、個人の好みの曲をあらかじめ記憶させておいたり、多様な切り口でカラオケ楽曲を検索させて選曲したりすることが可能である。
【０００３】
たとえば、特許第３５７３４２０号公報には、アーティストのアルバム名やジャケット写真をつかって目的の曲を検索する機能について開示されている。  
また、特許第３５９５２９２号公報には、利用者別の記憶領域に好みの楽曲を登録しておいたり、読み出して選曲に利用したりできる機能が開示されている。  
また、特許第３６４５２１１号公報には、利用者の年齢や年代に基づいて、利用者の記憶に残る年代の流行曲を検索できる、いわゆる「あの頃検索」機能が開示されている。
【特許文献１】特許第３５７３４２０号公報
【特許文献２】特許第３５９５２９２号公報
【特許文献３】特許第３６４５２１１号公報
【発明の開示】
【発明が解決しようとする課題】
【０００４】
上記のようなさまざまな選曲操作は、あれこれ思いもよらない曲が見つかったりすることもあり、それだけでカラオケの楽しみの一つにもなっている。反面、たまたま見つけた曲については、同じ操作を再現することは面倒であったり難しかったり、曲名やアーティスト名はうろ覚えであることも少なくはなく、同じ曲を再度選曲するのは意外に面倒である。
【０００５】
そこで、利用者がさまざまに検索して選曲した履歴を一目で確認できると便利だと本発明者は考えた。利用者が選曲して演奏予約した楽曲は、一般に、予約曲リストで確認できるし、演奏済みの曲は演奏履歴として確認することができる。しかし選曲履歴であれば、その中には当然に、予約中の曲だけでなく演奏済みの曲も含まれる。そのため、予約中の曲も演奏済みの曲も区別せずに、曲名やアーティスト名などを簡単に確認できる。また、選曲操作に夢中になっている間に演奏された曲を聞き逃した場合などに、予約リストに載っていないから重複していないと勘違いして同じ曲を間違って予約してしまうようなことが避けられる。逆に、先に選曲して予約した曲をもう一度確認したい場合に、演奏済みか予約中かを区別して見るリストを変えることなく、しかも面倒な選曲操作をもう一度最初からしなくても、簡単に確認することができる。
【０００６】
しかも、選曲履歴にある楽曲は好きなアーティストの曲である場合が多いので、同じアーティストの他の曲を簡単に選択できるようになっていると、非常に利便性が向上する。本発明は、このようなことを考えながら創作したものである。
【課題を解決するための手段】
【０００７】
本発明は、次の事項（１）〜（９）によって特定されるものである。  
（１）通信手段と、記憶手段と、ユーザインタフェースと、制御手段とを備え、楽曲索引データベースにアクセスするカラオケ選曲装置であること
（２）通信手段は、カラオケ装置と交信可能とすること
（３）記憶手段は、選曲履歴簿を格納すること
（４）選曲履歴簿は、楽曲ＩＤと未演奏曲／既演奏曲の区別を対応付けした情報を選曲予約順に配列すること
（５）ユーザインタフェースは、制御手段の制御により利用者に情報を表示するとともに、利用者の操作入力を受け付けること
（６）制御手段は、利用者入力に従って楽曲索引データベースから抽出した１つの楽曲ＩＤを含んだ演奏予約電文をカラオケ装置に送信した際、当該楽曲ＩＤを未演奏曲として選曲履歴簿に記録すること
（７）制御手段は、カラオケ装置から１つの楽曲ＩＤを含んだ演奏報告電文を受信した際、選曲履歴簿における未演奏曲中の当該楽曲ＩＤを既演奏曲とすること
（８）制御手段は、選曲履歴の閲覧を指示する利用者入力があった際、選曲履歴簿から新しい順に所定曲数分の楽曲ＩＤと未演奏曲／既演奏曲の区別を抽出するとともに、楽曲索引データベースを参照し、それら抽出楽曲の曲名とアーティスト名を一覧表示させ、かつ、未演奏曲と既演奏曲を視覚的に区別できるように表示させ、いずれかの楽曲を選択する利用者入力を可能とすること
（９）制御手段は、一覧表示された抽出楽曲の中から1曲を選択する利用者入力があった際、楽曲索引データベースを参照し、当該楽曲とアーティスト名が同じ楽曲を抽出して一覧表示させるとともに、利用者がいずれかの楽曲を選択入力可能とすること
【発明の効果】
【０００８】
この発明に係るカラオケ選曲装置によれば、選曲された曲が予約中の曲だけでなく演奏済みの曲も一覧的にひと目で確認できる。そのため、予約中の曲も演奏済みの曲も区別せずに、曲名やアーティスト名などを簡単に確認できる。また、選曲操作に夢中になっている間に演奏された曲を聞き逃した場合などに、予約リストに載っていないから重複していないと勘違いして同じ曲を間違って予約してしまう、というようなことが避けられる。逆に、先に選曲して予約した曲をもう一度確認したい場合に、予約中か演奏済みかを区別して見るリストを変えることなく、しかも面倒な楽曲検索をもう一度最初からしなくても、簡単に確認したり予約したりすることができる。そして選曲した好きなアーティストの別の曲も簡単に予約することができる。
【発明を実施するための最良の形態】
【０００９】
＝＝＝ネットワーク構成＝＝＝
図１に、本発明の実施例における通信カラオケシステムのネットワーク構成を示した。インターネット６０ａを利用したＶＰＮ（Virtual Private Network）６０ｂには、カラオケ事業者の各地のカラオケ店１００に敷設されたＬＡＮ１１０やカラオケサーバー７０が接続されて広域イントラネットが構築されている。各地の複数の客室を備えたカラオケ店１００の各客室には、周知の通信カラオケシステムの演奏端末１０と、当該演奏端末を操作するためのカラオケ選曲装置２０が設置されている。演奏端末１０はＬＡＮ１１０を介して同室内のカラオケカラオケ選曲装置２０と通信したり、ルータ５０を経由して接続したＶＰＮ６０ｂを介してカラオケサーバー７０と通信してカラオケ楽曲の伴奏音楽の起源となるカラオケデータの配信を受けたり、稼働ログを送信したりする。
【００１０】
カラオケサーバー７０は、通信カラオケシステムにおけるホスト装置なるコンピュータであり、カラオケ楽曲の起源となるカラオケデータを蓄積したカラオケデータベースや、会員として登録された利用者の情報を管理する会員情報データベースなどの各種データベースを備えている。そして、演奏端末１０やカラオケ選曲装置２０は、ＶＰＮ６０ｂを介してカラオケサーバー７０と通信し、カラオケデータの配信を受けたり、稼働ログを送信したりする。
【００１１】
なお、カラオケサーバー７０の備える各種データベースのうち、カラオケデータベースは、カラオケ楽曲の伴奏音楽や歌詞画像、歌詞画像の背景映像の表示シーケンスなどを含むカラオケデータを楽曲ＩＤをキーにして格納したものである。
【００１２】
会員情報データベースは、会員登録されている利用者が所持するＩＣカードに固有のＩＣカード番号とした個人ＩＤをキーとして、個人情報や各種履歴情報を対応付けして格納し管理している。
【００１３】
＝＝＝カラオケ選曲装置２０＝＝＝
カラオケ選曲装置２０は、タッチパネルを主要なユーザインタフェースとしたタブレットコンピュータである。図２にカラオケ選曲装置２０の機能ブロック構成を示した。ＣＰＵ・ＲＡＭ・ＲＯＭを含む中央制御部２１を主制御部として、ハードディスク装置２２・タッチパネル２３・通信インタフェース２４を備えている。
【００１４】
ハードディスク装置２２には、当該タブレットコンピュータをカラオケ選曲装置として機能させるためのプログラムに加え、演奏端末１０にて演奏可能なカラオケ楽曲について、曲名・アーティスト名・楽曲ジャンルなどの目次情報を、楽曲ＩＤに対応付けして集約した楽曲索引データベースを格納している。
【００１５】
中央制御部２１は、ハードディスク装置２２に格納されているプログラムにしたがって動作し、タッチパネル２３による対話形式のユーザインタフェース環境により、利用者の希望する楽曲の目次情報を楽曲索引データベースから検索して提示する。図３に、カラオケ選曲装置２０のトップメニュー画面を例示した。このトップ画面を起点として、曲名検索・歌手名検索・新譜検索・デュエット曲検索・あのころ検索など、さまざまな検索モードにより選曲を行える。また、利用者により選曲した楽曲を演奏予約する旨の指示入力がなされると、その楽曲の楽曲ＩＤを含む演奏予約電文を同室内の演奏端末１０に送信する。
【００１６】
またこのカラオケ選曲装置２０は、会員が所持するＩＣカードがカードインタフェースに付帯するアンテナにかざされると、ＩＣカードのカードＩＤを読み取って、当該ＩＤをカラオケサーバー７０に送付してカラオケサーバー７０にログインさせる。それによって、カラオケ選曲装置２０を操作する会員が自身の好みの曲の楽曲ＩＤ群（Ｍｙリスト）を取り寄せたり、更新したりすることができる。
【００１７】
なお、楽曲索引データベースは必ずしもカラオケ選曲装置２０に格納する必要はなく、演奏端末１０に格納させて、ＬＡＮ１１０を介してアクセスして検索クエリーの送信に応じて返信させる検索レポートによって必要な目次情報を取り寄せる構成もとれる。カラオケ選曲装置２０のハードディスク装置２２を小容量のフラッシュメモリなどに代えることも可能となり、カラオケ選曲装置２０の省電力化や小型化も可能となる。
【００１８】
＝＝＝選曲履歴管理＝＝＝
カラオケ選曲装置２０は、各種の楽曲検索機能により選曲された楽曲が演奏予約されると、その選曲の履歴を管理する機能を備えている。カラオケ選曲装置２０の中央制御部２１は、演奏端末１０に送信した演奏予約電文に含めた楽曲ＩＤを時系列にメモリに記憶させ、選曲履歴簿として管理する。図４に選曲履歴簿の論理構成を例示している。演奏予約電文の楽曲ＩＤを選曲履歴簿に記憶する際には、この楽曲ＩＤに予約中の旨を示す未演奏フラグを対応付けて記憶させる。また、ログインした会員による選曲の場合には、会員のカードＩＤ等の識別符号もあわせて選曲履歴簿の楽曲ＩＤに付帯させるとよい。
【００１９】
本実施例の演奏端末１０は、カラオケ選曲装置２０から予約された楽曲の演奏が終了すると、カラオケ選曲装置２０にその旨を通知する機能を備えている。演奏端末１０の中央制御部１１は、演奏処理が終了すると、その楽曲の楽曲ＩＤを含めた演奏報告電文をカラオケ選曲装置２０に返送する。演奏時に歌唱採点機能を利用した場合には、歌唱採点データをあわせて演奏報告電文に含めてもよい。その他の機能を利用した場合にも、適宜に結果の情報を含めてもよい。また、演奏中止などにより演奏処理が中断された場合には、その時点で中断の旨を通知する演奏報告電文を返送すればよい。
【００２０】
なお、演奏端末１０に対応するカラオケ選曲装置２０が同室内に複数台備わっている場合には、各カラオケ選曲装置２０を識別管理する。たとえば、演奏端末１０のメモリに管理している演奏予約リスト中に各カラオケ選曲装置２０の識別符号を対応付けておき、返送すべきカラオケ選曲装置２０を認識すればよい。
【００２１】
演奏端末１０から演奏報告電文を受信すると、カラオケ選曲装置２０の中央制御部２１は、演奏報告電文に含まれている楽曲ＩＤを取り出して選曲履歴簿と対比させ、選曲履歴簿の該当する楽曲ＩＤについて、対応付けされている未演奏フラグを演奏済の旨を示す既演奏フラグに変えて記憶させる。あるいは、既演奏フラグのかわりに演奏日時を対応づけるようにしてもよい。
【００２２】
選曲履歴簿の内容は、適宜な機会に初期化される。たとえば全ログインユーザがログアウトした場合や全利用客が退室した際などに、店員の操作入力により初期化できるようにしておく。ログイン会員ごとに選曲履歴を集計して、会員情報データベースに送信するようにしてもよい。
【００２３】
＝＝＝選曲履歴提示処理＝＝＝
カラオケ選曲装置２０は、利用者の指示入力により選曲履歴を利用者に提示する機能を備えている。適宜なユーザインタフェースにより利用者が選曲履歴の表示を指示入力すると、選曲装置２０の中央制御部２１は、選曲履歴簿を参照して選曲履歴リストをタッチパネル２３に表示させる。たとえばトップ画面（図３）に配設された「選曲りれき」ボタンが指示入力されると、図５に例示した選曲履歴リストをタッチパネル２３に画面表示させる。選曲履歴リストには、選曲履歴簿の各楽曲ＩＤに基づいて楽曲索引データベースを参照し、それぞれの曲名とアーティスト名を一覧表示させる。また、未演奏フラグのついている楽曲は予約中である旨を、また既演奏フラグがついている楽曲については演奏済みである旨を表示させる。たとえば、予約中の楽曲と演奏済みの楽曲とは異なる色の文字で表示させる。
【００２４】
さらに、選曲した会員ＩＤが対応付けされている場合には会員名などを表示させる。既演奏フラグのついた楽曲につき、歌唱採点データが対応付けされている場合には、点数などの情報を表示させる。その他の歌唱結果の情報が対応付けされている場合にも、適宜に結果を表示させる。
【００２５】
なお、選曲履歴簿に登録されている楽曲ＩＤが所定数より多い場合に、登録が新しい順に所定曲数分を抽出して利用者に提示するようにしてもよい。
【００２６】
一覧表示された選曲履歴リスト中のいずれかの曲を利用者が選択指定した場合に、中央制御部２１はその曲のアーティスト名に基づいて楽曲索引データベースを参照し、当該アーティスト名が等しい楽曲群を抽出する。そして、図６に例示しているように、それらの曲名を一覧的に表示させる。
【００２７】
なお、一覧表示されたアーティスト名の等しい曲目リスト中のいずれかの楽曲が利用者により選択指定入力された場合に、中央制御部２１は、当該楽曲の詳細情報を表示させる。詳細画面からは転送ボタンを押すなどの所定の操作により演奏予約が可能である。これにより、利用者は予約リストと演奏履歴の双方を確認しなくても、先に選曲された曲目を簡単に確認したり、好きなアーティストの曲を簡単に予約することも可能となる。
【図面の簡単な説明】
【００２８】
【図１】本発明の実施例における通信カラオケシステムのネットワーク構成図である。
【図２】本実施例のカラオケ選曲装置のブロック構成図である。
【図３】同カラオケ選曲装置のトップメニュー画面を例示した図である。
【図４】同カラオケ選曲装置が管理する選曲管理簿の論理データ構成を例示している。
【図５】同カラオケ選曲装置における選曲履歴の表示画面を例示した図である。
【図６】同カラオケ選曲装置におけるアーティストの曲目リストの表示画面を例示した図である。
【符号の説明】
【００２９】
２０  カラオケ選曲装置
２１  中央制御部
２３  タッチパネル
【図２】
2008262117.tif 000003
【図４】
2008262117.tif 000004
【図５】
2008262117.tif 000005
【図６】
2008262117.tif 000006
【図１】
2008262117.tif 000007
【図３】
2008262117.tif 000008